(57)【要約】【課題】廊下スラブを床スラブよりも低くし、該廊下スラブの上面を廊下パネルにより覆って廊下スラブの上部に配管・配線用の間隙部を形成することにより、建設工事が迅速且つ容易に行えるようにする。【解決手段】コンクリートにより室内側の床スラブ（２２）及び廊下側の廊下スラブ（２１）を形成するに際し、廊下スラブ（２１）を床スラブ（２２）よりも段状に低く形成し、前記廊下スラブ（２１）の上面を廊下パネル（２８）により覆うとともに、該廊下パネル（２８）の高さを前記床スラブ（２２）の上面と略同じ高さにし、かつ前記廊下パネル（２８）と廊下スラブ（２１）との間に配管・配線用の間隙部（３０）を形成する。【選択図】      図１
2004204453.tif 000002
【特許請求の範囲】
【請求項１】
コンクリートにより室内側の床スラブ（２２）及び廊下側の廊下スラブ（２１）を形成するに際し、廊下スラブ（２１）を床スラブ（２２）よりも段状に低く形成し、前記廊下スラブ（２１）の上面を廊下パネル（２８）により覆うとともに、該廊下パネル（２８）の高さを前記床スラブ（２２）の上面と略同じ高さにし、かつ前記廊下パネル（２８）と廊下スラブ（２１）との間に配管・配線用の間隙部（３０）を形成したことを特徴とする共同住宅。
【請求項２】
コンクリートにより室内側の床スラブ（２２）及び廊下側の廊下スラブ（２１）を形成するに際し、廊下スラブ（２１）を床スラブ（２２）よりも段状に低く形成し、前記床スラブ（２２）及び廊下スラブ（２１）の上面を床パネル（２５）及び廊下パネル（２８）により覆うとともに、廊下パネル（２８）の高さを前記床パネル（２５）と略同じ高さにし、前記床パネル（２５）及び廊下パネル（２８）と前記床スラブ（２２）及び廊下スラブ（２１）との間に配管・配線用の間隙部（２７，３０）を形成したことを特徴とする共同住宅。
【請求項３】
廊下スラブ（２１）と廊下パネル（２８）との間隙部（３０）に廊下スラブ（２１）の長手方向に延びる共通管（３１）を収容し、各室内に配管された室内管（３２）を前記共通管（３１）に並列に接続したことを特徴とする請求項１又は２記載の共同住宅。
【請求項４】
廊下スラブ（２１）の外側部にたて方向のパイプスペース（２４）を設け、該パイプスペース（２４）にたて管（３４）を収容し、該たて管（３４）に廊下側の共通管（３１）を接続したことを特徴とする請求項３記載の共同住宅。
【発明の詳細な説明】
【０００１】
【発明の属する技術分野】
本発明は、一棟に二世帯以上がそれぞれ独立して住む構造になっている鉄筋コンクリート製の共同住宅に関するものである。
【０００２】
【従来の技術】
従来の技術として、図６、図７に示すものがあった。図６、図７において、１は鉄筋コンクリート製の共同住宅であり、室内側の床スラブ２、廊下スラブ３、及びバルコニースラブ４がコンクリートにより略同一レベルで形成され、上記床スラブ２内には水道水、ガス等を導入する室内管５、電源コード６等が埋設されている。
【０００３】
また、各住戸ごとの廊下側の仕切壁部、及び室内の仕切壁部にそれぞれ縦方向のメインパイプスペース７、複数のサブパイプスペース８，９が形成され、メインパイプスペース７内には主排水管１０、水道水、ガス等を供給する供給管１１、及び電気の供給線１２等が収容され、この部から各住戸内に配管、配線されている。また、上記サブパイプスペース８，９内には汚水管１３、台所の排水を排出する副排水管１４等が収容されている。上記排水管１０、１４、汚水管１３、及び供給管１１等は屋外の地中に埋設された枝管１５を介して所定の地中主管１６に接続される。
【０００４】
【発明が解決しようとする課題】
上記従来のものは、メインパイプスペース７、及びサブパイプスペース８，９が住戸ごとに形成されていたので、躯体工事が煩雑になるとともに、居住用の床面積が低減することになる。また、床スラブ２内に室内管５、電源コード６等を埋設したり、上記メインパイプスペース７、及びサブパイプスペース８，９内に住戸ごとの排水管１０，１４、供給管１１、汚水管１３等を収容するようにしていたので、型枠作業、コンクリート打ち作業、配管作業、配線作業等が交錯し、作業効率が低下するとともに、各作業が煩雑になるものであった。本発明は各作業が集中して行えるようにし、また、配管、配線作業が簡素に行えるようにすることにより、上記不具合を解消した新規な共同住宅を得ることを目的とする。
【０００５】
【課題を解決するための手段】
本発明は、上記目的を達成するために以下の如く構成したものである。即ち、請求項１に係る発明は、コンクリートにより室内側の床スラブ及び廊下側の廊下スラブを形成するに際し、廊下スラブを床スラブよりも段状に低く形成し、前記廊下スラブの上面を廊下パネルにより覆うとともに、該廊下パネルの高さを前記床スラブの上面と略同じ高さにし、かつ前記廊下パネルと廊下スラブとの間に配管・配線用の間隙部を形成する構成にしたものである。
また、請求項２に係る発明は、前記前記床スラブ及び廊下スラブの上面を床パネル及び廊下パネルにより覆うとともに、廊下パネルの高さを前記床パネルと略同じ高さにし、前記床パネル及び廊下パネルと前記床スラブ及び廊下スラブとの間に配管・配線用の間隙部を形成する構成にしたものである。
また、請求項３に係る発明は、前記廊下スラブと廊下パネルとの間隙部に廊下スラブの長手方向に延びる共通管を収容し、各室内に配管された室内管を前記共通管に並列に接続したものである。
また、請求項４に係る発明は、前記廊下スラブの外側部にたて方向のパイプスペースを設け、該パイプスペースにたて管を収容し、該たて管に廊下側の共通管を接続したものである。
【０００６】
【発明の実施の形態】
以下本発明の実施の形態を図面に基づいて説明する。図において、図１は本発明の第１実施例による共同住宅の一部たて断面図、図２は図１のII-II相当の平断面図、図３は本発明の第２実施例による共同住宅の一部たて断面図、図４は本発明による室内の配線状態を示す一部たて断面図、図５は図４のV-V拡大断面図である。
【０００７】
図１、図２において、２０は鉄筋コンクリート製の共同住宅であり、各住戸の廊下側の廊下スラブ２１を室内側の床スラブ２２及びバルコニースラブ２３に対して、例えば２０ｃｍｍ〜３０ｃｍｍ低く形成する。また、建物本体の背面側、つまり廊下スラブ２１の外側の左右中心部にたて方向のパイプスペース２４（図２）を形成する。なお、このパイプスペース２４は建物本体の左右両端部、あるいは一方の端部に形成するようにしてもよい。
【０００８】
上記床スラブ２２の上面を床パネル２５により覆うとともに、該床パネル２５を支持脚２６により持ち上げて床パネル２５と上記床スラブ２２との間に配管・配線用の間隙部、つまり床下間隙部２７を形成する。また、上記廊下スラブ２１の上面全面を廊下パネル２８により覆う。該廊下パネル２８は廊下スラブ２１の両側の起立壁に取り付けた受け桟２９に着脱可能に載置し、各廊下パネル２８の高さを室内側の床パネル２５と略同じ高さにするとともに、各廊下パネル２８と上記廊下スラブ２１との間に配管・配線用の間隙部、つまり廊下下間隙部３０を形成する。なお、上記廊下パネル２８は、図１に示すように廊下が内廊下となっている場合は木製板により形成し、その上面にジュータンを貼る。また、図３に示すように廊下が外廊下となっている場合はモルタル、あるいは鉄板等により形成する。
【０００９】
上記廊下下間隙部３０に各住戸に共通する共通管３１を廊下スラブ２１の長手方向（図２において左右方向）に延長させて配管する。この共通管３１は排水管３１ａ、水道・ガス管３１ｂ等からなる。また、各住戸の床下間隙部２７に住戸別の排水管３２ａ、水道・ガス管３２ｂ等の室内管３２を配管し、これらを上記共通管３１に並列に接続する。なお、上記個別の水道・ガス管３２ｂはそれぞれメーター３２ｃを介して廊下側の共通管３１に接続する。また、上記床下間隙部２７に住戸別の電源コード３３を配線し、この部から室内の各電気機器に電気を供給するようにする。
【００１０】
上記廊下側の共通管３１、つまり排水管３１ａ、水道・ガス管３１ｂは、それぞれ前述したパイプスペース２４内に収容した複数のたて管３４に連結され、該たて管３４を介して屋外の地中に埋設した所定の排水管、水道・ガス管、つまり地中管３５に接続される。
【００１１】
図３は第２実施例を示す。このものは、室内側の床スラブ２２’の一部にガス、水等を導入する室内管３２’、及び電源コード３３’を埋設し、廊下スラブ２１’は上記床スラブ２２’に対して段状に低くし、該廊下スラブ２１’の上面全面を多数の廊下パネル２８により廊下下間隙部３０を存して覆うとともに、該廊下パネル２８の高さを上記床スラブ２２’と略同じ高さにし、上記廊下下間隙部３０に前述と同様の共通管３１を配管するようにしたものである。
【００１２】
図４、図５において、４０は本発明による間仕切り用、あるいは壁用の設備パネルである。該設備パネル４０は、本例では高さ約２５００ｍｍ、幅約１２００ｍｍ、厚さ約６０ｍｍの長方形状とし、上部に照明器接続用のコンセント４１ａ、上下中間部に上記コンセント４１ａの通電をオン・オフするスイッチ４２、下部に電気機器接続用のコンセント４１ｂを取り付け、内部にこれらを床下の電源コード３３に接続する配線４３を埋設してなる。上記配線４３の端部４３ａは設備パネル４０の本体下部から外部に露出させておき、該設備パネル４０を所定箇所に設置した際に上記端部４３ａを床下の電源コード３３に接続することにより、室内配線が容易に行えるようにする。図１〜図５において、４５は照明器、４６はキッチン、４７は換気扇、４８は分電盤、４９は便所、５０はユニットバス、５１は洗面台、５２はドア、４２ａ（図５）はスイッチボックスである。
【００１３】
【発明の効果】
以上の説明から明らかな如く、本願の発明は、廊下スラブを床スラブよりも低く形成し、該廊下スラブの上面を廊下パネルにより覆うとともに、該廊下パネルの高さを前記床スラブの上面と略同じ高さにして廊下パネルと廊下スラブとの間に配管・配線用の間隙部を形成するようにしたので、この間隙部に各住戸に共通する配管・配線を集中して収容することができ、居住用の床面積を増大させることができるとともに、住戸毎の配管・配線作業を簡素化することができる。
また、前記前記床スラブ及び廊下スラブの上面を床パネル及び廊下パネルにより配管・配線用の間隙部を存して覆うようにしたので、型枠作業、コンクリート打ち作業、配管作業、配線作業等の各作業が集中して行えることになり、建設工事が迅速且つ容易に行えることになる。
【図面の簡単な説明】
【図１】本発明の第１実施例による共同住宅の一部たて断面図である。
【図２】図１のII-II相当の平断面図である。
【図３】本発明の第２実施例による共同住宅の一部たて断面図である。
【図４】本発明による室内の配線状態を示す一部たて断面図である。
【図５】図４のV-V拡大断面図である。
【図６】従来例による共同住宅の一部たて断面図である。
【図７】図６のVII-VII相当の平断面図である。
【符号の説明】
２０    共同住宅
２１    廊下スラブ
２２    床スラブ
２３    バルコニースラブ
２４    パイプスペース
２５    床パネル
２６    支持脚
２７    床下間隙部（間隙部）
２８    廊下パネル
２９    受け桟
３０    廊下下間隙部（間隙部）
３１    共通管
３１ａ  排水管
３１ｂ  水道・ガス管
３２    室内管
３２ａ  排水管
３２ｂ  水道・ガス管
３２ｃ  メーター
３３    電源コード
３４    たて管
３５    地中管
４０    設備パネル
４１ａ，４１ｂ  コンセント
４２    スイッチ
４２ａ  スイッチボックス
４３    配線
４３ａ  配線の端部
４５    照明器
４６    キッチン
４７    換気扇
４８    分電盤
４９    便所
５０    ユニットバス
５１    洗面台
５２    ドア
【図１】
2004204453.tif 000003
【図２】
2004204453.tif 000004
【図３】
2004204453.tif 000005
【図４】
2004204453.tif 000006
【図５】
2004204453.tif 000007
【図６】
2004204453.tif 000008
【図７】
2004204453.tif 000009